(57)【特許請求の範囲】
【請求項１】
建築現場等に仮設される足場を構成する踏板の幅方向の両端部に垂直に配置される足場用幅木であって、
細長比の大きな長方形状をした幅木本体と、当該幅木本体の長手方向の両端部に取付けられて、前記足場を構成する前後一対の横架材に係脱可能に係止される一対の係止金具とから成り、
前記一対の係止金具の少なくとも一方は、付勢手段により前記横架材に係止される方向に付勢された状態で、前記幅木本体に対して回動可能に支持され、
当該係止金具は、前記幅木本体の上端から突出しない状態で、幅木本体の両側に配置されて、一体となって回動可能な一対の金具片から成り、
前記幅木本体の幅方向の両端には、長手方向に沿ったフランジ板部が一方の側に向けて形成され、
前記一対の金具片のうち前記幅木本体のフランジ板部が設けられた側に配置される金具片における支点ピンに対して係止部と反対側の部分は、当該幅木本体の長手方向の他端側に向けてＬ字状に折り曲げられた形状となっていて、当該Ｌ字状に折り曲げられた部分に設けられた回動操作部と、前記幅木本体の上端のフランジ板部とを一体に把持して、当該回動操作部を当該フランジ板部に近接させることで、前記一対の金具片を回動させる構成であることを特徴とする足場用幅木。
【請求項２】
前記回動操作部は、一対の金具片のうち、幅木本体の幅方向の両端のフランジ板部が設けられた側に配置される金具片にのみ設けられ、平板状の金属片に対して折り曲げられた折曲げ板部により構成されていることを特徴とする請求項１に記載の足場用幅木。
【発明の詳細な説明】
【技術分野】
【０００１】
本発明は、仮設足場を構成する踏板から作業者の足を踏み落としたり、或いは各種作業道具、建築資材等が落下するのを防止するために、前記踏板の幅方向の両端部であって、隣接する支柱の間に垂直に配置される足場用幅木に関するものである。
【背景技術】
【０００２】
建築現場等で使用される仮設用の足場は、作業者の移動方向に沿って所定間隔をおいて立設される一対一組となった多数組の支柱、一対一組の支柱間に架設される多数の横架材、作業者の移動方向に沿って隣接する支柱間に架設される縦架材、隣接する前記横架材の間に支持される踏板等の機能の異なる各架設部材を組み付けて建築現場等に仮設される。
【０００３】
足場用幅木は、隣接する支柱の間に立設されて、踏板から作業者の足を踏み落としたり、或いは各種作業道具、建築資材等が落下するのを防止する架設部材であって、幅木本体の長手方向の両端部に、前記横架材に対して係脱される一対の係止金具がそれぞれ取付けられ、当該係止金具は、幅木本体の両側に配置される一対の金具片で形成された構成である。
【０００４】
上記した足場用幅木の一つとして、特許文献１に開示のものがあり、幅木本体に対して回動可能に支持された係止金具を構成する一対の金具片は、一体となって回動して、当該一対の金具片の一方に、幅木本体の上端から上方に突出して、係止金具を回動させるための操作部が設けられた構成であり、当該操作部の存在により、係止金具の回動操作が容易となる利点がある。当該操作部は、一対の横架材に対する幅木本体の着脱時においてのみ有効な機能を果し、幅木本体の装着後においては、前記操作部は、幅木本体の上端から上方に突出しているために、作業者の衣類、或いは、作業者が手で持って運んでいる作業用の紐類が引っ掛かる等して、作業に対して障害部となってしまう問題があった。
【先行技術文献】
【特許文献】
【０００５】
【特許文献１】特開２０１０−２５５２６８号公報
【発明の概要】
【発明が解決しようとする課題】
【０００６】
本発明は、足場を構成する架設部材である横架材に対する係脱が容易であって、しかも装着後においては、作業者の通行の障害となる突出部の存在しない足場用幅木の提供を課題としている。
【課題を解決するための手段】
【０００７】
上記の課題を解決するための請求項１の発明は、建築現場等に仮設される足場を構成する踏板の幅方向の両端部に垂直に配置される足場用幅木であって、
細長比の大きな長方形状をした幅木本体と、当該幅木本体の長手方向の両端部に取付けられて、前記足場を構成する前後一対の横架材に係脱可能に係止される一対の係止金具とから成り、
前記一対の係止金具の少なくとも一方は、付勢手段により前記横架材に係止される方向に付勢された状態で、前記幅木本体に対して回動可能に支持され、
当該係止金具は、前記幅木本体の上端から突出しない状態で、幅木本体の両側に配置されて、一体となって回動可能な一対の金具片から成り、
前記幅木本体の幅方向の両端には、長手方向に沿ったフランジ板部が一方の側に向けて形成され、
前記一対の金具片のうち前記幅木本体のフランジ板部が設けられた側に配置される金具片における支点ピンに対して係止部と反対側の部分は、当該幅木本体の長手方向の他端側に向けてＬ字状に折り曲げられた形状となっていて、当該Ｌ字状に折り曲げられた部分に設けられた回動操作部と、前記幅木本体の上端のフランジ板部とを一体に把持して、当該回動操作部を当該フランジ板部に近接させることで、前記一対の金具片を回動させる構成であることを特徴としている。
【０００８】
請求項１の発明によれば、幅木本体の長手方向の両端部に設けられた各係止金具の少なくとも一方は、前記幅木本体の上端から突出しない状態で、幅木本体の両側に配置されて、一体となって回動可能な一対の金具片から成り、当該一対の金具片のうち幅木本体のフランジ板部が設けられた側に配置される金具片における支点ピンに対して係止部と反対側の部分は、当該幅木本体の長手方向の他端側に向けてＬ字状に折り曲げられた形状となっていて、当該Ｌ字状に折り曲げられた形状の部分一体に設けられた回動操作部と、前記幅木本体の幅方向の上端に一体に設けられたフランジ板部とを一体に把持して、当該回動操作部を当該フランジ板部に近接させることで、前記一対の金具片を回動させる構成であるため、一体となった一対の金具片の回動操作を容易に行えるのに加えて、足場を構成する一対の横架材に幅木本体が一対の係止金具を介して係止固定された状態においても、係止金具を構成する一対の金具片の上端は、当該幅木本体の上端よりも下方の部分に配置されて、当該幅木本体の上端に対して突出していない。よって、作業者が足場を構成する踏板を走行する際に、当該作業者の被服、或いは作業者が手で持って挟んでいる作業用の紐類が、前後一対の横架材に対して幅木本体を係止固定している係止金具に引っ掛かることがなくなって、安全に作業を行える。
【０００９】
また、請求項１の発明によれば、幅木本体の長手方向の両端部に一対の係止金具が取付けられた幅木を積み重ねて、保管・運搬する際において、前記係止金具を構成する一対の金具片は、その全体が幅木本体の幅寸法内に納められて、当該幅木本体の幅方向の端部から突出する部分がないので、その保管時には、整然と積み重ねて保管できると共に、その運搬時には、金具片の突出部がないので、周辺部材に引っ掛かることなく、運搬できる。
【００１０】
請求項２の発明は、請求項１の発明において、前記回動操作部は、一対の金具片のうち、幅木本体の幅方向の両端のフランジ板部が設けられた側に配置される金具片にのみ設けられ、平板状の金属片に対して折り曲げられた折曲げ板部により構成されていることを特徴としている。
【００１１】
請求項２の発明によれば、係止金具を構成する一対の金具片のうち、幅木本体におけるフランジ板部が設けられている側に配置された金具片に、平板状の当該金属片に対して折り曲げられた折曲げ板部が設けられているため、幅木本体のフランジ板部と、一方の金具片に設けられた回動操作部とを一体に把持し易い構造となって、係止金具を構成する一対の金具片の回動操作が一層に容易となる。
【発明の効果】
【００１２】
本発明は、一体となった一対の金具片の回動操作を容易に行えるのに加えて、足場を構成する一対の横架材に幅木本体が一対の係止金具を介して係止固定された状態においても、係止金具を構成する一対の金具片の上端は、当該幅木本体の上端よりも下方の部分に配置されて、当該幅木本体の上端に対して突出していないため、作業者が足場を構成する踏板を走行する際に、当該作業者の被服、或いは作業者が手で持って挟んでいる作業用の紐類が、前後一対の横架材に対して幅木本体を係止固定している係止金具に引っ掛かることがなくなって、安全に作業を行える。また、係止金具を構成する一対の金具片は、その全体が幅木本体の幅寸法内に納められて、当該幅木本体の幅方向の端部から突出する部分がないので、幅木の保管時には、整然と積み重ねて保管できると共に、その運搬時には、金具片の突出部がないので、周辺部材に引っ掛かることなく、運搬できる。
【図面の簡単な説明】
【００１３】
【図１】仮設足場の部分斜視図である。
【図２】同じく部分平面図である。
【図３】幅木Ａの斜視図である。
【図４】幅木Ａの分解斜視図である。
【図５】幅木Ａの一方の係止金具Ｅを横架材４に係止させる途中の状態を示す作用説明図である。
【図６】一方の係止金具Ｅが横架材４に係止された後に、他方の係止金具Ｅを別の横架材４に係止させる途中の状態の作用説明図である。
【図７】対向する各横架材４に各係止金具Ｅが係止されて、幅木Ａが垂直に配置された状態の作用説明図である。
【図８】係止金具Ｅを構成する一方の金具片１１の回動操作板部１１ｂと、幅木本体２０のフランジ板部２０ａとを把持して、一対の金具片１１，１１’を回動させている状態の部分斜視図である。
【図９】前後一対の横架材４に対して幅木本体２０が係止固定された状態の正面図である。
【発明を実施するための形態】
【００１４】
以下、最良の実施例を挙げて、本発明について更に詳細に説明する。図１は、仮設足場の部分斜視図であり、図２は、同じく部分平面図であり、図３は、幅木Ａの斜視図であり、図４は、幅木Ａの分解斜視図である。最初に仮設足場の概略について説明し、その後に、本発明に係る幅木Ａについて詳細に説明する。
【００１５】
図１及び図２において、仮設足場は、ジャッキ１で支持されて、作業者の移動方向Ｐと直交する方向Ｑに沿って所定間隔をおいて一対一組の支柱２が立設され、一対一組の支柱２は、作業者の移動方向Ｐに沿って前記所定間隔よりも大きな間隔をおいて多数組だけ立設される。支柱２には、高さ方向に沿って一定間隔をおいて一対一組となった二組のホルダー３が固着されている。ホルダー３は、支柱２に固着された状態で断面略方形状の挿入空間を形成していて、当該挿入空間は下方に向けて漸次狭くなっており、一対一組のホルダー３は、支柱２の対向位置に固着され、二組のホルダー３は、高さ方向に沿って僅かにずれている。横架材４は、作業者の移動方向Ｐと直交する方向Ｑに沿って対向する一対の支柱２の間に配置されて、両端部の嵌着材５（図２及び図３参照）が各支柱２のホルダー３に嵌着されて、一対の支柱２の間に架設される。図１及び図２では、踏板６が支持される部分の横架材のみが図示されているが、実際には、一対の支柱２の高さの異なる部分に多数架設される。一方、縦架材７は、作業者の移動方向Ｐに沿って隣接する２本の支柱２の間に架設される部材であって、作業者の手の高さに架設されるものは、手摺りとなる。作業者の移動方向Ｐに沿って隣接する横架材４の間には、踏板６の長手方向の両端に設けられた複数の引掛け具８が当該横架材４に引っ掛けられることにより、隣接する各横架材４の間に踏板６が配置される。このように、仮設足場は、多数本の支柱２、横架材４及び縦架材７を、当該支柱２に設けられたホルダー３に対する嵌着材５の嵌着により一体に組み付けることにより、組付け、及び解体の双方を容易にした上で、必要剛性を確保している。
【００１６】
上記のようにして足場を組付けると、踏板６の長手方向の両端縁と横架材４との間には、所定の隙間９が形成され、当該隙間９に係止金具Ｅを構成する一対の金具片１１，１１’の下端部の係止部１１ａを挿入して横架材４に係止させることにより、踏板６の幅方向の両端部に幅木Ａが垂直となって配置される。幅木Ａは、踏板６の長さ（作業者の移動方向に沿った支柱２の間隔）に対応した長さを有する細長比の大きな方形状をした幅木本体２０と、当該幅木本体２０の長手方向の両端部に装着されて、前記踏板６を支持している横架材４に解除可能に係止される一対の係止金具Ｅとで構成され、各係止金具Ｅは、前記幅木本体２０の両側に配置される一対の金具片１１，１１’で構成される。幅木本体２０は、幅方向の両端部が同一側に折り曲げられたフランジ板部２０ａが設けられることで、曲げ強度を確保した構造になっていて、配置状態で下端側に配置される２箇所の各コーナー部は、面取りが施されている。
【００１７】
幅木本体２０の長手方向の両端部に回動可能に支持される一対の係止金具Ｅは、対称形状をなしている。係止金具Ｅは、幅木本体２０の両側に配置される一対の金具片１１，１１’と、当該一対の金具片１１，１１’を一体に連結すると共に、幅木本体２０に対して回動可能に支持する支点ピン１２と、同じく当該一対の金具片１１，１１’を一体に連結すると共に、当該幅木本体２０に対する回動範囲を規制するための規制ピン１３と、当該支点ピン１２及び規制ピン１３を介して幅木本体２０に一体状となって連結された一対の金具片１１，１１’を係止方向に付勢させるための引張りバネ１４とで構成される。一対の金具片１１，１１’は、下端部の各係止部１１ａ，１１'aの幅を広くして、係止状態における幅木本体２０の自立を可能にするために、金属板材の長手方向の中央部を互いに異なる方向に直角に折り曲げられていて、外側に配置される側の金具片１１は、支点ピン１２よりも上方の部分が、幅木本体２０の長手方向の他方の端部の側に向けてＬ字形に折り曲げられた形状になっていて、このＬ字形に折り曲げられた形状の部分１１ｄには、当該金具片１１を構成する金属板を前記係止部１１ａの側に折り曲げることで、回動操作板部１１ｂが形成されている。ここで、図９に示されるように、金具片１１の回動操作板部１１ｂの幅は、幅木本体２０のフランジ板部２０ａの幅と同等になっているので、当該幅木本体２０のフランジ板部２０ａの内端を基準にすると、金具片１１は、幅木本体２０の上端に対して突出していないのみならず、当該幅木本体２０の幅方向の内側に対しても突出していない構造となる。換言すると、係止金具Ｅを構成する一対の金具片１１，１１’は、その全体が幅木本体２０の幅内に納められる構造となる。他方の金具片１１’は、別の金具片１１のＬ字形に折り曲げられた部分を欠落させた形状である。図９に示されるように、幅木本体２０が一対の係止金具Ｅを介して前後一対の横架材４に係止固定された状態では、当該係止金具Ｅを構成する一対の金具片１１，１１’の上端は、いずれも幅木本体２０の上端よりも下方に配置されていて、一対の金具片１１，１１’には、当該幅木本体２０の上端よりも上方に突出する部分が存在しない構成になっている。
【００１８】
各金具片１１，１１’における幅木本体２０に密着する部分には、支点ピン１２及び規制ピン１３を挿通するための挿通孔１５，１６がそれぞれ形成されている。また、各金具片１１，１１’は、その下端部の係止部１１ａを前記隙間９に挿入して横架材４に係止させたり、或いは横架材４と係止した状態から係止部１１ａが隙間９から脱出し易くするために、横架材４に係止した状態において支点ピン１２を中心に係止金具Ｅを所定角度だけ回動した状態において、係止部１１ａの背面側の部分１１ｃ（図６参照）がほぼ垂直となるようにしてある。これにより、横架材４との干渉を回避して、狭い隙間９から係止金具Ｅの係止部１１ａの挿入、及びその脱出を可能にしている。なお、係止金具Ｅが横架材４に係止した状態において、直列配置される別の幅木Ａの係止金具Ｅの係止部１１ａとの干渉を回避するために、係止金具Ｅの係止部１１ａの先端は、横架材４の中心を超えていない。
【００１９】
幅木本体２０の長手方向の端部には、支点ピン１２を挿通するための支点ピン孔２１と、当該支点ピン孔２１を中心とする円弧状の長孔２２が形成されている。一対の金具片１１，１１’は、幅木本体２０の両側に配置されて、ボルトから成る支点ピン１２が前記支点ピン孔２１に挿通されてナット２３と螺合されることにより、支点部で連結されると共に、同じくボルトから成る規制ピン１３が前記長孔２２に挿通されてナット２４と螺合されることにより、長孔２２の部分で連結されている。また、回動操作板部１１ｂを有する外側の金具片１１の上端部に取付けられた引掛けピン２５と、幅木本体２０の外側における係止金具Ｅの配置位置よりも内側に配置された別の引掛けピン２６との間に、引張りバネ１４の両端部が連結されている。よって、係止金具Ｅは、各金具片１１，１１’の係止部１１ａが横架材４に係止する方向に付勢された状態で、支点ピン１２を回動支点として幅木本体２０の長手方向の両端部に回動可能に装着されている。そして、係止金具Ｅは横架材４に対して、以下の２つの条件を満たすように回動可能に装着されている。２つの条件とは、各金具片１１，１１’の係止部１１ａ，１１'aが横架材４に係止された状態においても係止を維持する方向に引張りバネ１４の付勢力が作用するように、前記長孔２２の配置位置、及び長さが定められていること、及び引張りバネ１４の付勢力に抗して横架材４に対して各金具片１１，１１’の係止部１１ａを離間させた状態で、前記隙間９の間から各金具片１１の係止部１１ａが脱出させられるように、各金具片１１の係止部１１ａ，１１'aの形状が定められていることである。
【００２０】
次に、図５〜図７を参照して、踏板６の長手方向の端縁と横架材４との間に形成された隙間９を利用して、当該踏板６の幅方向の両端部に幅木Ａを垂直にして配置する場合、及び装着された幅木Ａを取り外す場合について説明する。図５は、幅木Ａの一方の係止金具Ｅを横架材４に係止させる途中の状態を示す作用説明図であり、図６は、一方の係止金具Ｅが横架材４に係止された後に、他方の係止金具Ｅを別の横架材４に係止させる途中の状態の作用説明図であり、図７は、対向する各横架材４に各係止金具Ｅが係止されて、幅木Ａが垂直に配置された状態の作用説明図である。
【００２１】
踏板６の幅方向の両端部に幅木Ａを垂直にして配置するには、図５及び図８に示されるように、作業者の手Ｈにより、係止金具Ｅを構成する外側の金具片１１の回動操作板部１１ｂと、幅木本体２０の上端のフランジ板部２０ａを挟持して、当該回動操作板部１１ｂを幅木本体２０の上端のフランジ板部２０ａの側に近接させると、引張りバネ１４の引張り力に抗して、一方の係止金具Ｅを構成する一対の金具片１１，１１’の各係止部１１ａ，１１'aは、横架材４から離間する方向に当該係止金具Ｅを支点ピン１２を中心にして、図示の状態で時計方向に回動させて、当該各係止部１１ａ，１１'aの背面側の部分がほぼ垂直となるようにして、そのままの状態で、係止金具Ｅの下端部の係止部１１ａを前記隙間９に挿入して、当該各係止部１１ａ，１１'aの下端が横架材４の中心を通過した後に、引張りバネ１４の引張り力に抗する力を解放すると、図６に示されるように、当該係止金具Ｅは、引張りバネ１４の引張り力により、支点ピン１２を中心にして上記と反対である反時計方向に回動して、係止金具Ｅを構成する一対の金具片１１，１１’の下端部の各係止部１１ａ，１１'aは横架材４に係止される。幅木本体２０の幅方向の両側に配置される各幅木Ａは、各幅木本体２０のフランジ板部２０ａが内側を向いて、互いに対向するように配置される。
【００２２】
この状態では、図１及び図９に示されるように、幅木本体２０の長手方向の両端部に設けられた各係止金具Ｅにより、前後一対の横架材４に幅木本体２０が係止固定された状態において、当該係止金具Ｅを構成する一対の金具片１１，１１’の上端は、いずれも幅木本体２０の上端のフランジ板部２０ａよりも下方に配置されていて、幅木本体２０の上端よりも上方には、当該係止金具Ｅの構成部は、全く存在していない。よって、踏板６を通過する作業者は、自身の被服類を係止金具Ｅに引っ掛けることなく、作業を行える。また、幅木Ａの保管・運搬時においても、当該幅木Ａを整然と保管できる共に、当該幅木Ａの運搬時においても、当該幅木Ａが周辺部材に引っ掛かることなく運搬できる。
【００２３】
次に、他方の係止金具Ｅに関しても、上記と同様にして、当該係止金具Ｅを構成する一対の金具片１１，１１’の下端部の係止部１１ａ，１１'aを他方の横架材４に係止させると、図１及び図７に示されるように、幅木Ａは、踏板６の幅方向の端部に垂直となって配置される。また、係止金具Ｅを構成する一対の金具片１１，１１’の係止部１１ａ，１１'aを横架材４に係止した状態で、一対の金具片１１，１１’を連結している規制ピン１３は、幅木本体２０の長手方向の端部に形成された長孔２２の形成端に達していないので、引張りバネ１４の引張り力は、係止金具Ｅの係止部１１ａと横架材４との係止を維持するように作用する。この結果、足場の使用中において、衝撃力や振動等が作用しても、係止金具Ｅを構成する一対の金具片１１，１１’の各係止部１１ａ，１１'aと横架材４との係止が解除されなくなって、安全性が高められる。
【００２４】
一方、足場の解体時に幅木Ａを対向する各横架材４から取り外すには、装着時と逆の順序で各操作を行えばよい。即ち、引張りバネ１４の引張り力に抗して係止金具Ｅを構成する一対の金具片１１，１１’を、その係止部１１ａ，１１'aが横架材４から離間する方向に回動させた状態で、一対の金具片１１，１１’の各係止部１１ａ，１１'aを前記隙間９から脱出させる。その後に、他方の係止金具Ｅを構成する一対の金具片１１，１１’に関しても、同様にして係止部１１ａ，１１'aを隙間９から脱出させる。
【００２５】
このように、幅木本体２０の長手方向の両端部に取付けられる係止金具Ｅを構成する一対の金具片１１，１１’が引張りバネ１４の引張り力により、横架材４に対する係止方向に付勢された状態で回動可能な構造になっているので、幅木本体２０に対して係止金具Ｅを回動させることにより、幅木本体２０を大きく傾斜させなくても、横架材４に対して幅木本体２０の長手方向の両端部に取付けられた係止金具Ｅの係止、及びその解除を行える。しかも、引張りバネ１４の引張り力に抗して係止金具Ｅを回動させて、当該一対の金具片１１，１１’の下端部の係止部１１ａ，１１'aを前記隙間９に挿入したり、或いは当該隙間９から脱出させた後には、引張り力に抗する力を解放させるのみで、当該一対の金具片１１，１１’の下端部の係止部１１ａ，１１'aが横架材４に係止されたり、或いは当該係止の解除を行えるので、横架材４に対する幅木Ａの着脱を容易に、しかも瞬時に行える。
【００２６】
なお、引張りバネ１４の引張り力が小さくても、係止金具Ｅの係止部１１ａと横架材４との係止が解除されない場合には、幅木本体２０を水平にして、両端の係止金具Ｅの各係止部１１ａを両端の各隙間９に同時に落とし込むようにして、各横架材４に係止させることも可能である。
【００２７】
上記実施例では、金属板から成る金具片１１の支点ピン１２よりも上方の部分をＬ字形に折り曲げられた形状にして、係止固定状態で水平に近い状態で配置される部分を外側に折り曲げることにより、回動操作板部１１ｂが形成されているために、１枚の金属板を折り曲げ加工のみによって、一対の金具片１１，１１’の一方の金具片１１が形成できる利点がある。しかし、本発明における一対の金具片１１，１１’のうち、幅木本体２０の内側に配置される金具片１１の支点ピン１２よりも上方のＬ字形に折り曲げられた部分に設けられる回動操作部は、当該幅木本体２０の上端のフランジ板部２０ａと一体にして把持可能であって、この状態で、前記回動操作部を当該幅木本体２０の上端のフランジ板部２０ａの側に近接させることで、一体となった一対の金具片１１，１１’を回動させることが可能であれば、いかなる構造であってもよい。金具片１１におけるＬ字形に折り曲げられて、水平に近い状態に配置される部分に、別体の回動操作部を溶接等により一体に設けることも可能である。
【００２８】
また、上記実施例は、幅木本体２０の長手方向の両端部に取付けられる各係止金具Ｅのいずれもが、引張りバネ１４の引張り力により横架材４に対する係止方向に付勢された状態で回動可能な構造であるが、幅木本体２０の長手方向の一端部には、上記した回動可能な構造の係止金具Ｅが取付けられ、他端部には、固定構造の係止金具Ｅが取付けられた構造であってもよい。この構造の幅木では、横架材４に対して取付ける場合には、幅木本体を大きく傾斜させて、固定構造の係止金具を横架材に係止させた後に、回動構造の係止金具を幅木本体に対して上記したように回動させて、別の横架材に係止させる。一方、横架材から幅木を取り外す場合には、回動構造の係止金具の側から、当該係止を解除した後に、幅木本体を傾斜させて固定構造の係止金具の係止を解除する。
【符号の説明】
【００２９】
Ａ：幅木
Ｅ：係止金具
Ｈ：作業者の手
Ｐ：作業者の移動方向
Ｑ：作業者の移動方向と直交する方向
４：横架材
６：踏板
９：踏板と横架材との隙間
１１，１１’：金具片
１１ａ，１１'a：金具片の係止部
１１ｂ：金具片の回動操作板部（回動操作部）
１１ｄ：金具片のＬ字状に折り曲げられた形状の部分
１２：支点ピン
１４：引張りバネ（付勢手段）
２０：幅木本体
【図１】
0006596382.tif 000002
【図２】
0006596382.tif 000003
【図３】
0006596382.tif 000004
【図４】
0006596382.tif 000005
【図５】
0006596382.tif 000006
【図６】
0006596382.tif 000007
【図７】
0006596382.tif 000008
【図８】
0006596382.tif 000009
【図９】
0006596382.tif 000010